(57)【要約】      （修正有）【課題】読み手に絵本の読み聞かせを頼みやすいと考えられる時間帯を聞き手に認識させることができる絵本の読み聞かせシステム、スケジュール調整システム及びプログラムを提供する。【解決手段】絵本の読み聞かせシステム１は、読み手となる人物の行動を把握する把握部４３と、把握部４３が把握した行動に応じ、読み手となる人物が絵本の読み聞かせを行うのに適する状態であるか否かを判断する判断部４４と、判断部４４による判断の結果を、絵本の読み聞かせを行う際に聞き手となる人物に対し出力する送受信部４１とを有する管理サーバ４０を備える。【選択図】図３
2020086667.tif 000002
【特許請求の範囲】
【請求項１】
読み手となる人物の行動を把握する把握手段と、
前記把握手段が把握した前記行動に応じ、前記読み手となる人物が絵本の読み聞かせを行うのに適する状態であるか否かを判断する判断手段と、
前記判断の結果を、絵本の読み聞かせを行う際に聞き手となる人物に対し出力する出力手段と、
を有する絵本の読み聞かせシステム。
【請求項２】
前記出力手段は、前記聞き手となる人物の選択した絵本の内容を、前記読み手となる人物および／または当該聞き手となる人物に対しさらに出力することを特徴とする請求項１に記載の絵本の読み聞かせシステム。
【請求項３】
前記出力手段は、前記読み手となる人物の絵本を読む発話音声に応じて、絵本の内容を出力することを特徴とする請求項２に記載の絵本の読み聞かせシステム。
【請求項４】
前記把握手段は、前記行動として、前記読み手となる人物の位置および動作とその継続時間とを把握することを特徴とする請求項１に記載の絵本の読み聞かせシステム。
【請求項５】
前記判断手段は、前記読み手となる人物の位置および動作が、予め定められた位置および動作であるとともに、予め定められた継続時間を超えたときに、絵本の読み聞かせを行うのに適していると判断することを特徴とする請求項４に記載の絵本の読み聞かせシステム。
【請求項６】
前記判断手段は、前記読み手となる人物の絵本の読み聞かせを行うのに適した時間帯を予測することを特徴とする請求項１に記載の絵本の読み聞かせシステム。
【請求項７】
前記判断手段は、前記読み手となる人物の絵本の読み聞かせを行う確率を予測することを特徴とする請求項１に記載の絵本の読み聞かせシステム。
【請求項８】
前記聞き手となる人物から前記読み手となる人物へ、絵本の読み聞かせを行う依頼をする依頼手段をさらに有することを特徴とする請求項１に記載の絵本の読み聞かせシステム。
【請求項９】
前記依頼手段は、読み聞かせを行う絵本を指定して依頼することを特徴とする請求項８に記載の絵本の読み聞かせシステム。
【請求項１０】
前記依頼手段は、読み聞かせを行う絵本の内容を示して依頼することを特徴とする請求項８に記載の絵本の読み聞かせシステム。
【請求項１１】
一の人物に対しリクリエーションを行う相手となる人物の行動を把握する把握手段と、
前記把握手段が把握した前記行動に応じ、前記相手となる人物がリクリエーションを行うのに適する状態であるか否かを判断する判断手段と、
前記判断の結果を、前記一の人物に対し出力する出力手段と、
を有するスケジュール調整システム。
【請求項１２】
コンピュータに、
読み手となる人物の行動を把握する把握機能と、
前記把握機能が把握した前記行動に応じ、前記読み手となる人物が絵本の読み聞かせを行うのに適する状態であるか否かを判断する判断機能と、
前記判断の結果を、絵本の読み聞かせを行う際に聞き手となる人物に対し出力する出力機能と、
を実現させるためのプログラム。
【発明の詳細な説明】
【技術分野】
【０００１】
本発明は、絵本の読み聞かせシステム、スケジュール調整システム、プログラムに関する。
【背景技術】
【０００２】
従来技術として、例えば、読み手の端末に表示された文章を読み手が読むと、聞き手の携帯端末に絵本の絵が表示される絵本表示装置が存在する。
【０００３】
特許文献１には、ページ番号とページ画像と後続するページのページ番号とが対応付けて記憶するテキスト情報記憶手段と、テキスト情報とページ画像を所定の表示手段に表示させる表示画像制御部と、マイクロフォン部によって得られた音声情報を所定の出力手段に出力させる出力音声制御部と、得られた音声情報を分析して、音声情報の特徴を判別し、表示対象のページ番号に対応付けられた後続ページ番号において、特徴判別部の判別結果の特徴に対応付けられたページ番号を、後続ページ番号として特定する分岐処理部と、特定された後続ページ番号を次の表示対象のページ番号として特定する震度制御部とを有する電子絵本システムが記載されている。
また、特許文献２には、サーバシステムは、店舗毎に、所属軍が同じプレーヤから構成されるローカルグループが生成され、次いで、軍毎にローカルグループを組み合わせて該軍のグループ（Ａ軍のグループ及びＢ軍のグループ）が生成される。そして、構成人数が同じであって異なる軍のグループ同士が対戦相手としてマッチングされることが記載されている。
【先行技術文献】
【特許文献】
【０００４】
【特許文献１】特開２００９−１２２４９８号公報
【特許文献２】特開２００８−１１３７８３号公報
【発明の概要】
【発明が解決しようとする課題】
【０００５】
ところが、絵本の読み聞かせは、読み手が存在することが必要であり、読み手の都合がよいことが必要である。一方、聞き手にとっては、読み手の都合のよい時間帯などを知ることが困難なことがある。
本発明の目的は、読み手に絵本の読み聞かせを頼みやすいと考えられる時間帯を聞き手に認識させることができる絵本の読み聞かせシステム等を提供することを目的とする。
【課題を解決するための手段】
【０００６】
かくして本発明によれば、読み手となる人物の行動を把握する把握手段と、把握手段が把握した行動に応じ、読み手となる人物が絵本の読み聞かせを行うのに適する状態であるか否かを判断する判断手段と、判断の結果を、絵本の読み聞かせを行う際に聞き手となる人物に対し出力する出力手段と、を有する絵本の読み聞かせシステムが提供される。
ここで、出力手段は、聞き手となる人物の選択した絵本の内容を、読み手となる人物および／または聞き手となる人物に対しさらに出力するようにすることができる。この場合、読み手や聞き手が絵本を所有する必要がなく、また、所有していない絵本の読み聞かせを行うこともできる。
また、出力手段は、読み手となる人物の絵本を読む発話音声に応じて、絵本の内容を出力するようにすることができる。この場合、読み手の読む速度に合わせて、絵本の内容を順次出力することができる。
さらに、把握手段は、行動として、読み手となる人物の位置および動作とその継続時間とを把握するようにすることができる。この場合、読み手の行動を、より容易に把握できる。
またさらに、判断手段は、読み手となる人物の位置および動作が、予め定められた位置および動作であるとともに、予め定められた継続時間を超えたときに、絵本の読み聞かせを行うのに適していると判断するようにすることができる。この場合、読み聞かせを行うのに適する状態であることを把握するのが、より容易になる。
また、判断手段は、読み手となる人物の絵本の読み聞かせを行うのに適した時間帯を予測するようにすることができる。さらに、判断手段は、読み手となる人物の絵本の読み聞かせを行う確率を予測するようにすることができる。この場合、聞き手が、読み手に絵本の読み聞かせを頼んだときに、承諾する可能性がより高くなる。
そして、聞き手となる人物から読み手となる人物へ、絵本の読み聞かせを行う依頼をする依頼手段をさらに有するようにすることができる。この場合、携帯端末等から依頼を行うことができる。
また、依頼手段は、読み聞かせを行う絵本を指定して依頼するようにすることができる。この場合、聞き手が読み手に読んでもらいたい絵本を、読み手に予め知らせることができる。
さらに、依頼手段は、読み聞かせを行う絵本の内容を示して依頼するようにすることができる。この場合、読み手が絵本の内容を知らない場合でも、読み手は、予め内容を把握することができる。
【０００７】
さらに、本発明によれば、一の人物に対しリクリエーションを行う相手となる人物の行動を把握する把握手段と、把握手段が把握した行動に応じ、相手となる人物がリクリエーションを行うのに適する状態であるか否かを判断する判断手段と、判断の結果を、一の人物に対し出力する出力手段と、を有するスケジュール調整システムが提供される。
【０００８】
またさらに、本発明によれば、コンピュータに、読み手となる人物の行動を把握する把握機能と、把握機能が把握した行動に応じ、読み手となる人物が絵本の読み聞かせを行うのに適する状態であるか否かを判断する判断機能と、判断の結果を、絵本の読み聞かせを行う際に聞き手となる人物に対し出力する出力機能と、を実現させるためのプログラムが提供される。
【発明の効果】
【０００９】
本発明によれば、読み手に絵本の読み聞かせを頼みやすいと考えられる時間帯を聞き手に認識させることができる絵本の読み聞かせシステム等を提供することができる。
【図面の簡単な説明】
【００１０】
【図１】本実施の形態における絵本の読み聞かせシステムの構成例を示す図である。
【図２】絵本の読み聞かせシステムの概略動作の例について示した図である。
【図３】第１の実施形態における絵本の読み聞かせシステムの機能構成例を示したブロック図である。
【図４】第１の実施形態における絵本の読み聞かせシステムの動作について説明したフローチャートである。
【図５】聞き手が、管理サーバから判断結果を受け取ったときに、携帯端末の表示部に表示される画面の例を示した図である。
【図６】読み手が、聞き手から絵本の読み聞かせの依頼を受け取ったときに、携帯端末の表示部に表示される画面の例を示している。
【図７】（ａ）〜（ｂ）は、本実施の形態で用いられる記憶部のデータ構造を示した図である。
【図８】第２の実施形態における絵本の読み聞かせシステムの動作について説明したフローチャートである。
【図９】聞き手が、管理サーバから予測結果を受け取ったときに、携帯端末の表示部に表示される画面の例を示した図である。
【図１０】第３の実施形態における絵本の読み聞かせシステムの動作について説明したフローチャートである。
【発明を実施するための形態】
【００１１】
以下、添付図面を参照して、本発明の実施の形態について詳細に説明する。
【００１２】
＜絵本の読み聞かせシステム１全体の説明＞
図１は、本実施の形態における絵本の読み聞かせシステム１の構成例を示す図である。
図示するように本実施の形態の絵本の読み聞かせシステム１は、カメラ１０と、携帯端末２０ａ、２０ｂと、管理サーバ４０とが、ネットワーク７０、ネットワーク８０、アクセスポイント９０を介して接続されることにより構成されている。なお、カメラ１０は、図１では、１つのみ示したが、個数はいくつでもよい。また以後、携帯端末２０ａと携帯端末２０ｂとを区別しない場合には、単に「携帯端末２０」と言うことがある。
【００１３】
カメラ１０は、撮影装置であり、動画または静止画を撮影する。カメラ１０は、対象物からの光を収束する光学系と、光学系により収束された光を検出するイメージセンサとを備える。光学系は、単一のレンズまたは複数のレンズを組み合わせて構成される。例えば、２つの半球レンズを使用し、その球面側を向かい合わせに組み合わせたツインレンズが用いられる。イメージセンサは、ＣＣＤ（Charge Coupled Device）やＣＭＯＳ（Complementary Metal Oxide Semiconductor）等を配列して構成される。
また、カメラ１０は、無線通信にて、アクセスポイント９０に接続するネットワークカメラとなっており、撮影した画像の情報を、アクセスポイント９０、ネットワーク７０、ネットワーク８０を介して管理サーバ４０に送信することができる。なお、有線通信回線を利用して、ネットワーク７０に接続してもよい。
【００１４】
携帯端末２０は、例えば、モバイルコンピュータ、携帯電話、スマートフォン、タブレット等のモバイル端末である。携帯端末２０ａ、２０ｂは、無線通信を行うためにアクセスポイント９０に接続する。そして、携帯端末２０ａ、２０ｂは、アクセスポイント９０を介して、ネットワーク７０に接続する。なお、詳しくは後述するが、携帯端末２０ａは、絵本の読み聞かせを行う際に読み手となる人物が所持する携帯端末であり、携帯端末２０ｂは、絵本の読み聞かせを行う際に聞き手となる人物が所持する携帯端末である。なお、以後、「読み手となる人物」を、単に、「読み手」という場合がある。また、以後、「聞き手となる人物」を、単に、「聞き手」という場合がある。なお、読み手は、例えば、親、祖父母であり、聞き手は、例えば、子供である。また、読み手と聞き手とは、同居してもよく、同居していなくてもよい。
【００１５】
管理サーバ４０は、絵本の読み聞かせシステム１の全体の管理をするサーバコンピュータである。詳しくは後述するが、管理サーバ４０は、絵本の読み聞かせをする際に、読み手が都合のよい状態であるか否かを把握し、都合がよい状態であると判断したときに、その旨を聞き手の携帯端末２０ｂに送信する。
【００１６】
携帯端末２０および管理サーバ４０は、演算手段であるＣＰＵ（Central Processing Unit）と、記憶手段であるメインメモリを備える。ここで、ＣＰＵは、ＯＳ（基本ソフトウェア）やアプリ（応用ソフトウェア）等の各種ソフトウェアを実行する。また、メインメモリは、各種ソフトウェアやその実行に用いるデータ等を記憶する記憶領域である。さらに、携帯端末２０は、外部との通信を行うための通信インタフェース（以下、「通信Ｉ／Ｆ」と表記する）と、ビデオメモリやディスプレイ等からなる表示機構と、入力ボタン、タッチパネル、キーボード等の入力機構とを備える。そして、携帯端末２０は、音声の出力を行うスピーカと、音声の入力を行うマイクロフォンとを備える。また、管理サーバ４０は、補助記憶装置として、ＨＤＤ（Hard Disk Drive）やＳＳＤ（Solid State Drive）を備える。
【００１７】
ネットワーク７０は、カメラ１０、携帯端末２０および管理サーバ４０の情報通信に用いられる通信手段であり、例えば、インターネットである。
ネットワーク８０も、ネットワーク７０と同様に、カメラ１０、携帯端末２０および管理サーバ４０の間の情報通信に用いられる通信手段であり、例えば、ＬＡＮ（Local Area Network）である。
【００１８】
アクセスポイント９０は、無線通信回線を利用して無線通信を行う機器である。アクセスポイント９０は、カメラ１０、携帯端末２０および管理サーバ４０の間のネットワーク７０やネットワーク８０との間の情報の送受信を媒介する。
無線通信回線の種類としては、携帯電話回線、ＰＨＳ（Personal Handy-phone System）回線、Ｗｉ−Ｆｉ（Wireless Fidelity）、Bluetooth（登録商標）、ZigBee、ＵＷＢ（Ultra Wideband）等の各回線が使用可能である。
【００１９】
＜絵本の読み聞かせシステム１の動作の概略説明＞
図２は、絵本の読み聞かせシステム１の概略動作の例について示した図である。
まず、カメラ１０が、読み手を撮影する（１Ａ）。このとき、カメラ１０は、複数用意され、読み手が、例えば、住居内のどこにいても撮影できることが好ましい。
次に、カメラ１０は、撮影した画像を、送信情報として管理サーバ４０に送信する（１Ｂ）。送信情報は、アクセスポイント９０、ネットワーク７０、ネットワーク８０を介し、管理サーバ４０に送られる。
管理サーバ４０では、撮影した画像から、読み手の行動を把握する（１Ｃ）。そして、把握した結果を、記憶し蓄積する（１Ｄ）。
【００２０】
管理サーバ４０は、蓄積された読み手の行動から、絵本の読み聞かせに適した状態であるか否かを求める（１Ｅ）。
そして、適した状態である場合、聞き手に対し、その旨を送信する（１Ｆ）。
これに対し聞き手は、専用アプリから、読み手に対し、絵本の読み聞かせを行う依頼を行う。この依頼は、管理サーバ４０を介して、読み手の携帯端末２０ａに届く（１Ｇ）。
そして、この依頼を受けた読み手は、絵本の読み聞かせを行うか否かを、聞き手に返信する。この返信は、管理サーバ４０を介して、聞き手の携帯端末２０ｂに届く（１Ｈ）。
【００２１】
次に、本実施の形態の絵本の読み聞かせシステム１の詳細な機能構成および動作について説明する。
【００２２】
＜絵本の読み聞かせシステム１の機能構成の説明＞
図３は、第１の実施形態における絵本の読み聞かせシステム１の機能構成例を示したブロック図である。
なおここでは、絵本の読み聞かせシステム１が有する種々の機能のうち本実施の形態に関係するものを選択して図示している。
カメラ１０は、読み手の撮影を行う撮影部１１と、撮影した画像の情報を送信する送信部１２とを備える。
撮影部１１は、読み手の撮影を行う機能部であり、上述した光学系とイメージセンサとから構成される。
また、送信部１２は、撮影した画像の情報を管理サーバ４０に対し送信する。送信部１２は、例えば、通信Ｉ／Ｆであり、アクセスポイント９０、ネットワーク７０およびネットワーク８０を介し、管理サーバ４０に撮影した画像の情報を送信する。
【００２３】
絵本の読み聞かせシステム１において、携帯端末２０ａと携帯端末２０ｂとは、同様の機能構成を有し、送信情報の送受信を行う送受信部２１と、画像の表示を行う表示部２２と、情報を入力する入力部２３と、発話音声を取得する音声取得部２４とを備える。
【００２４】
送受信部２１は、画像の情報や絵本の情報などの送信情報の送受信を行う。送受信部２１は、例えば、通信Ｉ／Ｆであり、アクセスポイント９０、ネットワーク７０およびネットワーク８０を介し、管理サーバ４０と情報の送受信を行う。
【００２５】
表示部２２は、読み手と聞き手とのやりとり、および絵本の画像の表示を行う。表示部２２は、例えば、タッチパネルである。この場合、表示部２２は、各種情報が表示されるディスプレイと、指やスタイラスペン等で接触された位置を検出する位置検出シートとを備える。接触された位置を検出する手段としては、接触による圧力をもとに検出する抵抗膜方式や、接触した物の静電気をもとに検出する静電容量方式など、どのようなものが用いられてもよい。
【００２６】
入力部２３は、絵本の読み手や聞き手が、所定の操作を行うための入力機構である。
例えば、上述したタッチパネルである。この場合、タッチパネルは、表示部２２および入力部２３の双方の機能を有する。つまり、絵本などの画像を表示するとともに、表示された画面に対し、タッチを行うことで、専用アプリの起動・終了や専用アプリに対する操作を行うことができる。なお、これに限られるものではなく、入力部２３は、キーボードやマウス等で構成されていてもよい。
【００２７】
音声取得部２４は、読み手の発話音声を取得する。音声取得部２４は、例えば、マイクロフォンである。マイクロフォンの種類としては、ダイナミック型、コンデンサ型等、既存の種々のものを用いてよい。また、マイクロフォンとして、無指向性のＭＥＭＳ（Micro Electro Mechanical Systems）型マイクロフォンであることが好ましい。
【００２８】
管理サーバ４０は、外部と通信を行う送受信部４１と、画像を記憶する記憶部４２と、読み手の行動を把握する把握部４３と、絵本の読み聞かせを行うのに適する状態であるか否かを判断する判断部４４と、聞き手から読み手に絵本の読み聞かせの依頼をする依頼部４５とを有する。
【００２９】
送受信部４１は、カメラ１０や携帯端末２０との間で通信を行い、所定の情報のやりとりを行う。送受信部４１は、カメラ１０が読み手を撮影した画像を取得する。また、送受信部４１は、出力手段の一例であり、読み手が絵本の読み聞かせを行うのに適した状態であるか否かの判断の結果を、絵本の読み聞かせを行う際に聞き手となる人物に対し出力する。
記憶部４２は、送受信部４１が取得した画像を記憶する。また、後述する読み手の行動についても記憶する。
【００３０】
把握部４３は、把握手段の一例であり、取得した画像から読み手の行動を把握する。詳しくは、後述するが、把握部４３は、読み手の行動として、読み手の位置および動作とその継続時間とを把握する。
【００３１】
判断部４４は、判断手段の一例であり、把握部４３が把握した行動に応じ、読み手が絵本の読み聞かせを行うのに適する状態であるか否かを判断する。
【００３２】
依頼部４５は、依頼手段の一例であり、聞き手から読み手へ、絵本の読み聞かせを行う依頼をする。具体的には、聞き手は、専用アプリを用いて、携帯端末２０ｂから管理サーバ４０に対し、絵本の読み聞かせの依頼を行い、これを依頼部４５が受け付ける。そして、依頼部４５が、再び送受信部４１を介して、読み手の携帯端末２０ａに対し、依頼を送信する。そして、読み手から依頼に対する返信があったときは、これを送受信部４１を介して、再び依頼部４５が取得する。そして、依頼部４５が、送受信部４１を介して、聞き手の携帯端末２０ｂに対し、返信を送信する。また、依頼や返信の履歴は、記憶部４２に記憶される。
【００３３】
送受信部４１は、例えば、通信Ｉ／Ｆである。また、記憶部４２は、例えば、ＨＤＤやＳＳＤ等の補助記憶装置である。さらに、把握部４３、判断部４４、依頼部４５の各機能は、例えば、ＣＰＵにより実現することができる。
【００３４】
＜絵本の読み聞かせシステム１の動作の説明＞
次に、絵本の読み聞かせシステム１の動作について、より詳細に説明を行う。
［第１の実施形態］
ここでは、まず、絵本の読み聞かせシステム１の動作の第１の実施形態について説明を行う。
第１の実施形態では、管理サーバ４０は、現時点において、読み手が絵本の読み聞かせを行うのに適した状態であるか否かを判断する。
【００３５】
図４は、第１の実施形態における絵本の読み聞かせシステム１の動作について説明したフローチャートである。
まず、カメラ１０が、読み手の画像を撮影する（ステップ１０１）。カメラ１０は、例えば、読み手が居住する住居の各部屋に複数設けられ、読み手が住居内の何れの場所にいても撮影が可能である。また、撮影範囲は、住居内とは限らず、例えば、庭、ベランダなどの屋外も撮影範囲としてもよい。
そして、カメラ１０は、撮影した画像の情報を、管理サーバ４０に送信する（ステップ１０２）。
【００３６】
管理サーバ４０では、送受信部４１が、撮影した画像の情報を受信する。画像の情報は、いったん記憶部４２にて、記憶される（ステップ１０３）。
次に、把握部４３が、取得した画像から読み手の行動を把握する（ステップ１０４）。具体的には、把握部４３は、読み手の行動として、読み手の位置および動作とその継続時間とを把握する。つまり、まず把握部４３は、複数台のカメラ１０が撮影した画像の中から、読み手の撮影されている画像を選択する。そして、選択した画像から住居内の部屋、およびこの部屋内で読み手が撮影されている場所を、読み手の位置とする。また、把握部４３は、撮影されている画像から、読み手の動作を把握する。この方法によれば、読み手の行動を、より容易に把握できる。
【００３７】
動作としては、例えば、歩いている、座っている、テレビを視聴している、料理をしている、掃除をしている、体操をしている、就寝している等の読み手の状態である。具体的には、把握部４３は、読み手が移動している場合は、歩いている状態であると把握する。また、把握部４３は、読み手が、椅子やソファーの上で動かない場合は、座っている状態であると把握する。さらに、把握部４３は、読み手がテレビの前で動かない場合は、テレビを視聴している状態であると把握する。またさらに、把握部４３は、読み手がキッチンにいる場合は、料理をしている状態であると把握する。そして、把握部４３は、読み手が掃除用具を所持している場合は、掃除をしている状態であると判断する。また、把握部４３は、読み手が同じ場所で、前後左右に体を動かしている場合は、体操をしている状態であると判断する。さらに、把握部４３は、読み手が寝室にいて動かない場合は就寝している状態であると判断する。また、継続時間は、同じ動作を継続的に行っている時間である。
把握部４３が把握した読み手の位置、動作および継続時間は、記憶部４２に日時の情報とともに記憶され、蓄積される（ステップ１０５）。
【００３８】
次に、判断部４４が、把握部４３が把握した行動に応じ、読み手が絵本の読み聞かせを行うのに適する状態であるか否かを判断する（ステップ１０６）。例えば、判断部４４は、読み手の位置および動作が、予め定められた位置および動作であるとともに、予め定められた継続時間を超えたときに、絵本の読み聞かせを行うのに適していると判断する。つまり、判断部４４は、絵本の読み聞かせを行うのに、読み手にとって時間がある都合がよい状態であるか否かを判断し、都合のよい状態である場合、絵本の読み聞かせを行うのに適していると判断する。具体的には、判断部４４は、例えば、読み手の位置がリビングであり、動作が、座っている状態であり、継続時間が１０分を超えたときに、読み手が絵本の読み聞かせを行うのに適する状態であると判断する。この方法によれば、読み聞かせを行うのに適する状態であることを把握するのが、より容易になる。なお、継続時間は、動作により、それぞれ変更して設定してもよい。
【００３９】
そして、読み手が絵本の読み聞かせを行うのに適する状態でない場合（ステップ１０６でＮｏ）、ステップ１０１に戻る。
対して、読み手が絵本の読み聞かせを行うのに適する状態である場合（ステップ１０６でＹｅｓ）、送受信部４１は、読み手が絵本の読み聞かせを行うのに適する状態である旨を、聞き手の携帯端末２０ｂに対し出力する（ステップ１０７）。送信された判断結果は、携帯端末２０ｂの送受信部２１が受信し、表示部２２に表示される（ステップ１０８）。
これを見た聞き手は、読み手に絵本の読み聞かせを依頼するか否かを決め、入力部２３を使用して、決定結果を入力する。
【００４０】
図５は、聞き手が、管理サーバ４０から判断結果を受け取ったときに、携帯端末２０ｂの表示部２２に表示される画面の例を示した図である。
この場合、表示部２２の上側には、管理サーバ４０からの判断結果として、「おかあさんは、いま、えほんをよんでくれるかもしれません。たのんでみてはどうでしょうか？」のメッセージ２２１が表示されている。なおこの場合、読み手は、母親で、聞き手は、その子供である。
【００４１】
そして、このメッセージ２２１の下側に、ドロップダウンメニュー２２２が表示され、ここから、読み手に読んでもらいたい絵本を選択することができる。また、聞き手が、絵本の題名を直接入力することもできる。つまり、この例では、読み聞かせを行う絵本を指定して依頼する。これにより、読み手としては、読みたくない本などを指定されたときに、拒否することができる。またさらに、読み聞かせを行う絵本の内容を示して依頼するようにしてもよい。例えば、絵本の１ページ目を読み手に送るようにする。この場合、読み手が絵本の内容を知らない場合でも、読み手は、予め内容を把握することができる。
【００４２】
さらに、このドロップダウンメニュー２２２の下側に、たのむボタン２２３と、たのまないボタン２２４が表示される。そして、聞き手がたのまないボタン２２４を押下すると、図４のステップ１０９で依頼しない場合となり、たのむボタン２２３を押下すると、図４のステップ１０９で、読み手に読み聞かせを依頼する場合になる。
【００４３】
そして、ステップ１０９で、依頼しない場合（ステップ１０９でＮｏ）、ステップ１０１に戻る。
対して、依頼する場合（ステップ１０９でＹｅｓ）、携帯端末２０ｂから管理サーバ４０に対し、依頼の内容が送信され、管理サーバ４０では、送受信部４１を介して、依頼部４５が、依頼を受け付け、再び送受信部４１を介して、読み手の携帯端末２０ａに対し、依頼を送信する（ステップ１１０）。
【００４４】
送信された依頼は、読み手の携帯端末２０ａの送受信部２１が受信し、表示部２２に表示される（ステップ１１１）。これを見た読み手は、依頼を承諾するかまたは拒否するかを決め、専用アプリを用いて返信を行う（ステップ１１２）。
【００４５】
図６は、読み手が、聞き手から絵本の読み聞かせの依頼を受け取ったときに、携帯端末２０ａの表示部２２に表示される画面の例を示している。
この場合、表示部２２の上側には、読み手からの読み聞かせの依頼として、「○○○ちゃんから、絵本の読み聞かせの依頼がありました。絵本の読み聞かせをしますか？」のメッセージ２２５が表示されている。なおこの場合、○○○ちゃんは、聞き手の名前である。
【００４６】
そして、このメッセージ２２５の下側に、するボタン２２６と、しないボタン２２７が表示される。そして、読み手が、するボタン２２６を押下すると、絵本の読み聞かせを承諾することになり、読み手が、しないボタン２２７を押下すると、絵本の読み聞かせを拒否することになる。この結果が、返信となる。
【００４７】
この返信は、携帯端末２０ａから管理サーバ４０に送られ、管理サーバ４０では、送受信部４１を介して、依頼部４５が、返信を受け付け、再び送受信部４１を介して、聞き手の携帯端末２０ｂ対し、返信を送信する（ステップ１１３）。また、依頼と返信については、記憶部４２に履歴として記憶される（ステップ１１４）。送信された返信は、聞き手の携帯端末２０ｂの送受信部２１が受信し、承諾または拒否の結果が表示部２２に表示される（ステップ１１５）。
【００４８】
図７（ａ）〜（ｂ）は、本実施の形態で用いられる記憶部４２のデータ構造を示した図である。
このうち、図７（ａ）は、読み手の行動の情報であり、把握部４３が把握した読み手の位置、動作および継続時間が、日時とともに記憶される。
また、図７（ｂ）は、読み聞かせの依頼と返信の結果についての情報であり、依頼を行った日時である依頼日時と、返信の結果が、承諾であったか、拒否であったかが記憶される。
【００４９】
［第２の実施形態］
次に、絵本の読み聞かせシステム１の動作の第２の実施形態について説明を行う。
第２の実施形態では、管理サーバ４０は、読み手の絵本の読み聞かせを行うのに適した時間帯や読み聞かせをしてくれる確率を予測する。
【００５０】
図８は、第２の実施形態における絵本の読み聞かせシステム１の動作について説明したフローチャートである。
図８に示したフローチャートのステップ２０１〜ステップ２０５、およびステップ２１０〜ステップ２１６は、図４に示した第１の実施形態のフローチャートのステップ１０１〜ステップ１０５、ステップ１０９〜ステップ１１５と同様である。よって、この箇所については、説明を省略する。
【００５１】
ステップ２０６以降は、判断部４４が、読み手の絵本の読み聞かせを行うのに適した時間帯を予測する（ステップ２０６）。即ち、判断部４４は、現時点から予め定められた期間における絵本の読み聞かせを行うのに適した時間帯を予測する。この期間は、例えば、本日中である。判断部４４は、記憶部４２を参照し、過去に蓄積された読み手の位置および動作とその継続時間を基に、例えば、曜日毎に、絵本の読み聞かせを行うのに適した時間帯を予測する。つまり、判断部４４は、過去の読み手の行動から、絵本の読み聞かせを行うのに読み手にとって都合のよい状態が多い時間帯を予測する。
【００５２】
また、判断部４４は、読み手の絵本の読み聞かせを行う確率を予測する（ステップ２０７）。即ち、判断部４４は、記憶部４２を参照し、過去の読み手の行動、および過去の依頼と返信との履歴から、時間帯毎や居場所毎に、承諾の確率を算出する。つまり、判断部４４は、絵本の読み聞かせを行うのに読み手にとって都合のよい時間帯や居場所について、予測する。
【００５３】
そして、送受信部４１は、ステップ２０６やステップ２０７で予測した予測結果を、聞き手の携帯端末２０ｂに対し出力する（ステップ２０８）。送信された予測結果は、携帯端末２０ｂの送受信部２１が受信し、表示部２２に表示される（ステップ２０９）。また、予測結果を送るタイミングとして、ステップ２０７で予測された承諾の確率が最も高い時間帯になったときに、聞き手に送るようにしてもよい。また、このタイミングとして、ステップ２０７で予測された承諾の確率が最も高い居場所に読み手がいるときに、聞き手に送るようにしてもよい。
【００５４】
図９は、聞き手が、管理サーバ４０から予測結果を受け取ったときに、携帯端末２０ｂの表示部２２に表示される画面の例を示した図である。
この場合、表示部２２の上側には、「きょう、おかあさんが、えほんをよんでくれそうなじかんをおしらせします。」のメッセージ２２８が表示されている。また、このメッセージ２２８の下側に、予測結果２２９、２３０が、表示されている。この場合、予測結果２２９は、判断部４４が予測した、読み手の絵本の読み聞かせを行うのに適した時間帯である。ここでは、時間帯として、「１０じ〜１１じ」が予測されている。また、予測結果２３０は、判断部４４が予測した、読み手の絵本の読み聞かせを行う確率である。ここでは、「１０じ〜１１じ」において、読み手が、読み聞かせをしてくれる確率を記号で示している。この記号は、例えば、４段階で表示され、「×」は、確率４０％未満、「△」は、確率４０％以上６０％未満、「○」は、確率６０％以上８０％未満、「◎」は、確率８０％以上としている。そしてここでは、予測結果２３０として、「○」の記号が表示されている。
【００５５】
また、この予測結果２３０の下側に、図５で説明したドロップダウンメニュー２２２が表示され、ここから、読み手に読んでもらいたい絵本を選択することができる。
さらに、このドロップダウンメニュー２２２の下側に、たのむボタン２２３と、たのまないボタン２２４が表示される。そして、聞き手がたのまないボタン２２４を押下すると、図８のステップ２１０で依頼しない場合となり、たのむボタン２２３を押下すると、図８のステップ２１０で、読み手に読み聞かせを依頼する場合になる。
【００５６】
［第３の実施形態］
次に、絵本の読み聞かせシステム１の動作の第３の実施形態について説明を行う。
第３の実施形態では、管理サーバ４０は、読み聞かせを行う絵本の内容を、記憶部４２に予め記憶させておく。絵本の内容は、絵本を構成する絵や文章である。そして、読み聞かせを行うときに、絵本の内容を出力し、読み手は、送られた文章を読むことで、読み聞かせを行う。
【００５７】
図１０は、第３の実施形態における絵本の読み聞かせシステム１の動作について説明したフローチャートである。
図１０に示したフローチャートのステップ３０１〜ステップ３１５は、図４に示した第１の実施形態のフローチャートのステップ１０１〜ステップ１１５と同様である。よって、この箇所については、説明を省略する。
【００５８】
ステップ３１６以降は、把握部４３が、読み聞かせが開始されたか否かを判断する（ステップ３１６）。この場合、聞き手は、読み手の居場所におり、読み手は、絵本を読む態勢にある。そして、読み手が、例えば、専用アプリから、絵本の題名を選択し、開始ボタン等を押下することで、絵本の読み聞かせが開始される。
そして、開始されない場合（ステップ３１６でＮｏ）、ステップ３１６に戻る。即ち、把握部４３は、読み聞かせが開始されるまで待機する。
【００５９】
対して、開始された場合（ステップ３１６でＹｅｓ）、送受信部４１は、聞き手の選択した絵本の内容を、読み手および／または聞き手に対し出力する（ステップ３１７）。つまり、送受信部４１は、絵本の内容を読み手の携帯端末２０ａや聞き手の携帯端末２０ｂに送る。この場合、携帯端末２０ａおよび携帯端末２０ｂの双方に送ってもよく、何れか一方でもよい。読み手は、携帯端末２０ａおよび携帯端末２０ｂの少なくとも一方に表示された文章を読むことで、読み聞かせを行う。また、携帯端末２０ａと携帯端末２０ｂとで、送る内容を変更してもよい。例えば、読み手の携帯端末２０ａには、漢字を使用した文章を送り、聞き手の携帯端末２０ｂには、漢字を使用しない文章を送る。また、読み手の携帯端末２０ａには、文章だけを送り、聞き手の携帯端末２０ｂには、絵だけを送る。
【００６０】
またこのとき、送受信部４１は、読み手の絵本を読む発話音声に応じて、絵本の内容を出力するようにしてもよい。つまり、読み手の発話音声を携帯端末２０ａまたは携帯端末２０ｂの音声取得部２４が取得し、管理サーバ４０に送信する。管理サーバ４０では、把握部４３が、音声認識等により発話音声をテキスト化し、送った絵本の何れの箇所を読んでいるかを把握する。そして、読み手の読む速度に合わせて、絵本の内容を順次出力する。例えば、まず１ページ目だけを送り、読み手が、１ページ目の最後の方を読み出した際に、２ページ目を送ることができる。またこの場合、絵本のページめくりを自動的に行うこともできる。
【００６１】
以上詳述した絵本の読み聞かせシステム１によれば、読み手の行動を管理サーバ４０が判断し、読み手が、絵本の読み聞かせに適した都合のよい状態であるときに、聞き手に対して通知が届く。これにより、読み手に絵本の読み聞かせを頼みやすいと考えられる時間帯を聞き手に認識させることができる。
また、第２の実施形態によれば、読み手の読み聞かせに適した都合のよい時間帯や確率を予測する。これにより、聞き手が、読み手に絵本の読み聞かせを頼んだときに、承諾する可能性がより高くなる。
さらに、第３の実施形態によれば、絵本の内容を管理サーバ４０が提供する。これにより、読み手や聞き手が絵本を所有する必要がなく、また、所有していない絵本の読み聞かせを行うこともできる。
【００６２】
［変形例］
上述した第１の実施形態〜第３の実施形態では、カメラ１０が、読み手の画像を撮影し、把握部４３が、取得した画像から読み手の行動を把握していたが、これに限られるものではない。例えば、画像以外の情報を基にして、把握部４３が、読み手の行動を把握してもよい。画像以外の情報としては、例えば、人感センサにより、読み手の行動を把握することが考えられる。この場合、把握部４３は、読み手の行動として、読み手の位置と継続時間とを把握する。具体的には、複数の人感センサにより検知した読み手の位置を順次把握し、同じ位置にいる時間を継続時間とする。この場合、人感センサは部屋毎のみならず、１つの部屋の複数箇所に設置し、部屋内における読み手の位置を把握できるようにしてもよい。
【００６３】
またさらに、人感センサにより、読み手の動作についても把握してもよい。人感センサにより、読み手の動作についても把握することができれば、上述したカメラ１０により撮影した画像により読み手の行動を把握するのと、同等の処理を行うことができる。
例えば、把握部４３は、人感センサによる検知結果により、読み手が移動している場合は、歩いている状態であると把握する。また、把握部４３は、読み手が、リビングの椅子やソファーのある位置で動かない場合は、座っている状態であると把握する。さらに、把握部４３は、読み手がテレビのある位置の前で動かない場合は、テレビを視聴している状態であると把握する。またさらに、把握部４３は、読み手がキッチンにいる場合は、料理をしている状態であると把握する。そして、把握部４３は、読み手が寝室にいて動かない場合は就寝している状態であると判断する。
【００６４】
また、人感センサを使用する以外の方法として、例えば、温度センサやマイクロフォンなどの音センサを使用する方法も考えられる。例えば、温度センサによる温度の検知結果により、読み手の大体の位置を把握することができる。また、マイクロフォンによる音の検知結果により、例えば、テレビから出力される音を検知し、読み手がテレビを見ている状態であると把握することができる。
上述した人感センサ、温度センサ、マイクロフォンは、１つだけを使用してもよく、複数を使用してもよい。またこれらから取得した情報とカメラ１０により撮影した画像とを併用して、把握部４３が、読み手の行動を把握してもよい。これにより、読み手の行動をさらに精度よく把握することができる。
【００６５】
また上述した例では、読み手の行動に応じ読み手となる人物が絵本の読み聞かせを行うのに適する状態であるか否かを判断していたが、読み手からこの旨の通知を行うこともできる。例えば、読み手が、絵本の読み聞かせをするのに都合がよいと判断した場合、携帯端末２０ａから、都合がよい旨を管理サーバ４０に対し送信する。そして、管理サーバ４０は、聞き手の携帯端末２０ｂに対し、読み手が絵本の読み聞かせをするのに都合がよい状態である旨の通知を行う。
【００６６】
また、以上詳述した形態では、絵本の読み聞かせシステム１は、携帯端末２０および管理サーバ４０が、ネットワーク７０、ネットワーク８０、アクセスポイント９０を介して接続されることにより構成されていたが、管理サーバ４０だけでも絵本の読み聞かせシステムであるとして捉えることができる。また、管理サーバ４０で行う処理は、携帯端末２０でも同様のことができる。よってこの場合は、携帯端末２０を絵本の読み聞かせシステムとして捉えることもできる。
【００６７】
さらに、上述した例では、携帯端末２０を使用する例を示したが、これに限られるものではない。例えば、携帯端末２０の代わりに、デスクトップコンピュータを使用することもできる。
【００６８】
さらに、上述した例では、管理サーバ４０に依頼部４５を設け、依頼部４５を通すことで、聞き手は、読み手に読み聞かせの依頼を行い、返信も行っていたが、依頼部４５を通すことは、必須ではない。例えば、聞き手は、読み手の居場所に直接行って依頼してもよく、電話や電子メール等により依頼をしてもよい。ただし、この場合、依頼や返信の履歴は残らないため、この履歴を活用することはできない。
【００６９】
なお、上述した例では、絵本の読み聞かせをする場合について説明したが、例えば、リクリエーションを行うに際し、相手にその依頼をする場合に適用することもできる。なお、「リクリエーション」は、例えば、スポーツの試合、ゲーム機における対戦ゲーム、トランプ等のカードゲームなとが挙げられる。またこれに限られるものでなく、「リクリエーション」には、例えば、文字練習をする、料理をする、外食に行く、おもちゃ等を使用した遊びをする、なども含まれる。
【００７０】
この場合、このシステムは、リクリエーションを行うために、スケジュールを調整するスケジュール調整システムであると捉えることができる。そして、このスケジュール調整システムは、一の人物に対しリクリエーションを行う相手となる人物の行動を把握する把握手段と、把握手段が把握した行動に応じ、相手となる人物がリクリエーションを行うのに適する状態であるか否かを判断する判断手段と、判断の結果を、一の人物に対し出力する出力手段と、を有する構成とすることができる。ここで、「一の人物」は、リクリエーションを依頼する人物であり、「相手となる人物」は、リクリエーションの依頼を受ける人物である。そして、把握手段、判断手段、出力手段は、それぞれ把握部４３、判断部４４、送受信部４１により実現することができる。
このスケジュール調整システムによれば、リクリエーションを行う相手となる人物がリクリエーションを行いやすいと考えられる時間帯を、一の人物に認識させることができる。
【００７１】
＜プログラムの説明＞
ここで、以上説明を行った本実施の形態における管理サーバ４０が行う処理は、例えば、アプリケーションソフトウェア等のプログラムとして用意される。そして、この処理は、ソフトウェアとハードウェア資源とが協働することにより実現される。即ち、管理サーバ４０に設けられたコンピュータ内部の図示しないＣＰＵが、上述した各機能を実現するプログラムを実行し、これらの各機能を実現させる。
【００７２】
よって、本実施の形態で、管理サーバ４０が行う処理は、コンピュータに、読み手となる人物の行動を把握する把握機能と、把握機能が把握した行動に応じ、読み手となる人物が絵本の読み聞かせを行うのに適する状態であるか否かを判断する判断機能と、判断の結果を、絵本の読み聞かせを行う際に聞き手となる人物に対し出力する出力機能と、を実現させるためのプログラムとして捉えることもできる。
【００７３】
なお、本実施の形態を実現するプログラムは、通信手段により提供することはもちろんＣＤ−ＲＯＭ等の記録媒体に格納して提供することも可能である。
【００７４】
以上、本実施の形態について説明したが、本発明の技術的範囲は上記実施の形態に記載の範囲には限定されない。上記実施の形態に、種々の変更または改良を加えたものも、本発明の技術的範囲に含まれることは、特許請求の範囲の記載から明らかである。
【符号の説明】
【００７５】
１…絵本の読み聞かせシステム、２０、２０ａ、２０ｂ…携帯端末、４０…管理サーバ、４１…送受信部、４２…記憶部、４３…把握部、４４…判断部、４５…依頼部
【図１】
2020086667.tif 000003
【図２】
2020086667.tif 000004
【図３】
2020086667.tif 000005
【図４】
2020086667.tif 000006
【図５】
2020086667.tif 000007
【図６】
2020086667.tif 000008
【図７】
2020086667.tif 000009
【図８】
2020086667.tif 000010
【図９】
2020086667.tif 000011
【図１０】
2020086667.tif 000012